(57)【特許請求の範囲】
【請求項１】
複数の第１のビュー画素群と複数の第２のビュー画素群とを含み、前記第１のビュー画素群と第２のビュー画素群とが、行方向と列方向に共に交互に配列して、それぞれの画素群がいずれもＭ×Ｎ個の１列に並ぶサブピクセルを含む（Ｎが、サブピクセルの色の種類であり、Ｍが、３及び３以上の整数である）画素アレイと、
列方向に、前記第１のビュー画素群の第１の側と前記第２のビュー画素群の第２の側を遮って、前記第１の側と前記第２の側とが、対向する二つの側である光学格子アレイと、
を含む３Ｄ表示装置を駆動するための表示駆動方法であって、
それぞれに、表示しようとする第一のビューと第二のビューを複数の理論的な画素ユニットに区分して、それぞれの理論的な画素ユニットに対応するオリジナル表示情報におけるそれぞれのサブピクセルの色に対応する階調値を確定することと、
それぞれのビューのそれぞれのサブピクセルについて、このサブピクセルの矩形サンプリング領域に覆われる、このビューに属するそれぞれの理論的な画素ユニットに対応するオリジナル表示情報におけるこのサブピクセルの色に対応する階調値に基づいて、このサブピクセルの輝度を確定することと、を有し、
それぞれのサブピクセルの中心とそれぞれの隣接する同類サブピクセルの中心との連線の中点がともにこのサブピクセルの矩形サンプリング領域の境界上に位置して、一つのサブピクセルの同類サブピクセルとは、このサブピクセルと同一のビューに属する同一の色のサブピクセルをいい、
前記Ｎの値が３であり、前記画素アレイがデルタ画素アレイであり、
それぞれのサブピクセルは、行方向における長さが列方向における長さの２倍であり、それぞれの理論的な画素ユニットが二つの列方向に隣接するサブピクセルに対応する、方法。
【請求項２】
前記サブピクセルの輝度を確定することは、
それぞれのサブピクセルについて、その矩形サンプリング領域とこのサンプリング領域に覆われる複数の理論的な画素ユニットのうちのそれぞれとの重なる面積を確定することと、
それぞれの理論的な画素ユニットに対応する前記重なる面積と、この理論的な画素ユニットに対応するオリジナル表示情報におけるこのサブピクセルの色に対応する階調値と、の積を確定することと、
それぞれの積の和及び矩形サンプリング領域の面積によりこのサブピクセルの輝度を確定することと、
を有する、請求項１に記載の方法。
【請求項３】
請求項１または２に記載の表示駆動方法のうちそれぞれのサブピクセルの矩形サンプリング領域を生成するための方法であって、
前記画素アレイを複数のアレイユニットに区分して、それぞれのアレイユニットが２行２列で合計４つの隣接する画素群を含むことと、
いずれか一つのアレイユニットのそれぞれのサブピクセルについて、このサブピクセルの中心からそれぞれの隣接する同類サブピクセルの中心までの連線中点を確定することと、
それぞれの連線中点がこの矩形サンプリング領域の境界上に位置するようにこのサブピクセルの矩形サンプリング領域を生成することと、
前記いずれか一つのアレイユニットのうちそれぞれのサブピクセルの矩形サンプリング領域を生成する方式に従って、他のアレイユニットのうち対応するサブピクセルの矩形サンプリング領域を生成することと、を有する、方法。
【請求項４】
複数の第１のビュー画素群と複数の第２のビュー画素群とを含み、前記第１のビュー画素群と第２のビュー画素群とが、行方向と列方向に共に交互に配列して、それぞれの画素群がいずれもＭ×Ｎ個の１列に並ぶサブピクセルを含む（Ｎが、サブピクセルの色の種類であり、Ｍが、３及び３以上の整数である）画素アレイと、
列方向に、前記第１のビュー画素群の第１の側と前記第２のビュー画素群の第２の側を遮って、前記第１の側と前記第２の側とが、対向する二つの側である光学格子アレイと、
を含む３Ｄ表示装置を駆動するための表示駆動装置であって、
それぞれに、表示しようとする第一のビューと第二のビューを複数の理論的な画素ユニットに区分して、それぞれの理論的な画素ユニットに対応するオリジナル表示情報におけるそれぞれのサブピクセルの色に対応する階調値を確定する画素区分手段と、
それぞれのビューのそれぞれのサブピクセルについて、このサブピクセルの矩形サンプリング領域に覆われる、このビューに属するそれぞれの理論的な画素ユニットに対応するオリジナル表示情報におけるこのサブピクセルの色に対応する階調値に基づいて、このサブピクセルの輝度を確定する輝度確定手段と、を有し、
それぞれのサブピクセルの中心とそれぞれの隣接する同類サブピクセルの中心との連線の中点がともにこのサブピクセルの矩形サンプリング領域の境界上に位置して、一つのサブピクセルの同類サブピクセルとは、このサブピクセルと同一のビューに属する同一の色のサブピクセルをいい、
前記Ｎの値が３であり、前記画素アレイがデルタ画素アレイであり、
それぞれのサブピクセルは、行方向における長さが列方向における長さの２倍であり、それぞれの理論的な画素ユニットが二つの列方向に隣接するサブピクセルに対応する、表示駆動装置。
【請求項５】
前記輝度確定手段は、
それぞれのサブピクセルについて、その矩形サンプリング領域とこのサンプリング領域に覆われる複数の理論的な画素ユニットのうちのそれぞれとの重なる面積を確定し、
それぞれの理論的な画素ユニットに対応する前記重なる面積と、この理論的な画素ユニットに対応するオリジナル表示情報におけるこのサブピクセルの色に対応する階調値と、の積を確定し、
それぞれの積の和及び矩形サンプリング領域の面積によりこのサブピクセルの輝度を確定する、
ように構成されている、請求項４に記載の表示駆動装置。
【請求項６】
請求項４または５に記載の表示駆動装置のうちそれぞれのサブピクセルの矩形サンプリング領域を生成するための装置であって、
前記画素アレイを複数のアレイユニットに区分して、それぞれのアレイユニットが２行２列で合計４つの隣接する画素群を含むように配置されるアレイユニット区分モジュールと、
いずれか一つのアレイユニットのそれぞれのサブピクセルについて、このサブピクセルの中心からそれぞれの隣接する同類サブピクセルの中心までの連線中点を確定し、
それぞれの連線中点が前記矩形サンプリング領域の境界上に位置するようにこのサブピクセルの矩形サンプリング領域を生成し、
前記いずれか一つのアレイユニットのうちそれぞれのサブピクセルの矩形サンプリング領域を生成する方式に従って、他のアレイユニットのうち対応するサブピクセルの矩形サンプリング領域を生成する、
ように構成されているサンプリング領域生成モジュールと、を有する、装置。
【発明の詳細な説明】
【技術分野】
【０００１】
本発明は、表示技術領域に関し、特に表示駆動方法と装置、サンプリング領域を生成する方法と装置に関する。
【背景技術】
【０００２】
通常の液晶表示装置や有機発光ダイオード表示装置には、それぞれの画素が複数のサブピクセルにより混光することにより色を表示する。例えば、それぞれの画素が赤色サブピクセルと緑色サブピクセルと青色サブピクセル一つずつからなってもよい。視覚効果を改善するために、人々が表示装置の解像度に対してより高い要求を提案して、このため、サブピクセルのサイズをより小さくすることを要求して、しかし、プロセスの規制のよりサブピクセルのサイズを無限に小さくすることができない。サブピクセルのサイズが一定である場合に表示効果を改善するために、従来技術には、ペンタイル（ｐｅｎｔｉｌｅ）モードで働く表示装置が提案され、そのうち、表示しようとする画像をスクリーンの解像度にしたがって複数の理論的な画素ユニットを区分するとともに、それぞれのサブピクセルのために一つのサンプリング領域を設けて、このサンプリング領域と理論的な画素ユニットとの重なる状況及びそれぞれの理論的な画素ユニットに対応するオリジナル表示情報においてこのサブピクセルの色に対応する階調値に基づいて、このサブピクセルの輝度を確定する。このような表示装置では、一部のサブピクセルが共有して、視覚効果上で実際の解像度よりもっと高い解像度を実現する。
【０００３】
２Ｄ表示装置では、それぞれの色のサブピクセルを均一に分布して、２Ｄ表示装置をバーチャル駆動するとき、それぞれのサブピクセルに対応するサンプリング領域の形状が同じであり、且つ、それぞれのサブピクセルに対応するサンプリング領域とこのサブピクセルとの相対的位置も同じである。しかし、異形光学格子を有する３Ｄ表示装置では、同じビューに対応する同じ色のサブピクセルを均一に分布しなく、２Ｄ表示装置についてのバーチャル駆動方法を異形光学格子を有する３Ｄ表示装置に応用して、完全にサンプリングすることができないまたは繰り返しサンプリングする状況を招き、表示される画面の歪みを招く。
【発明の概要】
【発明が解決しようとする課題】
【０００４】
本発明は、異形光学格子を有する３Ｄ表示装置に適する表示駆動方法を提供することを目的とするものであり、完全にサンプリングすることができないまたは繰り返しサンプリングすることによる画面歪みの問題を避けることができる。
【課題を解決するための手段】
【０００５】
本発明の第１の局面によれば、３Ｄ表示装置を駆動するための表示駆動方法を提供し、前記３Ｄ表示装置が画素アレイと光学格子アレイとを含み、前記画素アレイが第１のビュー画素群と第２のビュー画素群とを含み、前記第１のビュー画素群と第２のビュー画素群とが、行方向と列方向に共に交互に配列して、それぞれの画素群がいずれもＭ×Ｎ個の１列に並ぶサブピクセルを含み、ただし、Ｎが、サブピクセルの色の種類であり、Ｍが、３及び３以上の整数であり、前記光学格子アレイが列方向に、前記第１のビュー画素群の第１の側と前記第２のビュー画素群の第２の側を遮って、前記第１の側と前記第２の側とが、対向する二つの側であり、前記方法は、
それぞれに、表示しようとする第一のビューと第二のビューを複数の理論的な画素ユニットに区分して、それぞれの理論的な画素ユニットに対応するオリジナル表示情報におけるそれぞれのサブピクセルの色に対応する階調値を確定することと、
それぞれのビューのそれぞれのサブピクセルについて、このサブピクセルの矩形サンプリング領域に覆われる、このビューに属するそれぞれの理論的な画素ユニットに対応するオリジナル表示情報におけるこのサブピクセルの色に対応する階調値に基づいて、このサブピクセルの輝度を確定することと、を有し、
そのうち、それぞれのサブピクセルの中心とそれぞれの隣接する同類サブピクセルの中心との連線の中点がともにこのサブピクセルの矩形サンプリング領域の境界上に位置して、一つのサブピクセルの同類サブピクセルとは、このサブピクセルと同一のビューに属する同一の色のサブピクセルをいう。
【０００６】
さらには、前記Ｎの値が３であり、前記画素アレイがデルタ画素アレイである。
【０００７】
さらには、それぞれのサブピクセルは、行方向における長さが列方向における長さの２倍であり、且つ、それぞれの理論的な画素ユニットが二つの列方向に隣接するサブピクセルに対応する。
【０００８】
さらには、前記の前記サブピクセルの輝度を確定ことは、それぞれのサブピクセルについて、その矩形サンプリング領域とこのサンプリング領域に覆われる複数の理論的な画素ユニットのうちのそれぞれとの重なる面積を確定することと、それぞれの理論的な画素ユニットに対応する前記重なる面積と、この理論的な画素ユニットに対応するオリジナル表示情報におけるこのサブピクセルの色に対応する階調値と、の積を確定することと、それぞれの積の和及び矩形サンプリング領域の面積によりこのサブピクセルの輝度を確定することと、を有する。
【０００９】
本発明の第２の局面によれば、また第１の局面に記載の表示駆動方法のうちそれぞれのサブピクセルの矩形サンプリング領域を生成するための方法を提供し、
前記画素アレイを複数のアレイユニットに区分して、それぞれのアレイユニットが２行２列共４つの隣接する画素群を含むことと、
いずれか一つのアレイユニットのそれぞれのサブピクセルについて、このサブピクセルの中心からそれぞれの隣接する同類サブピクセルの中心までの連線中点を確定することと、
それぞれの連線中点がこの矩形サンプリング領域の境界上に位置するようにこのサブピクセルの矩形サンプリング領域を生成することと、
前記いずれか一つのアレイユニットのうちそれぞれのサブピクセルの矩形サンプリング領域を生成する方式に従って、他のアレイユニットのうち対応するサブピクセルの矩形サンプリング領域を生成することと、を有する。
【００１０】
本発明の第３の局面によれば、また３Ｄ表示装置を駆動するための表示駆動装置を提供し、前記３Ｄ表示装置が画素アレイと光学格子アレイとを含み、前記画素アレイが第１のビュー画素群と第２のビュー画素群とを含み、前記第１のビュー画素群と第２のビュー画素群とが、行方向と列方向に共に交互に配列して、それぞれの画素群がいずれもＭ×Ｎ個の１列に並ぶサブピクセルを含み、ただし、Ｎが、サブピクセルの色の種類であり、Ｍが、３及び３以上の整数であり、前記光学格子アレイが列方向に、前記第１のビュー画素群の第１の側と前記第２のビュー画素群の第２の側を遮って、前記第１の側と前記第２の側とが、対向する二つの側であり、前記表示駆動装置は
それぞれに、表示しようとする第一のビューと第二のビューを複数の理論的な画素ユニットに区分して、それぞれの理論的な画素ユニットに対応するオリジナル表示情報におけるそれぞれのサブピクセルの色に対応する階調値を確定する画素区分手段と、
それぞれのビューのそれぞれのサブピクセルについて、このサブピクセルの矩形サンプリング領域に覆われる、このビューに属するそれぞれの理論的な画素ユニットに対応するオリジナル表示情報におけるこのサブピクセルの色に対応する階調値に基づいて、このサブピクセルの輝度を確定する輝度確定手段と、を有し、
そのうち、それぞれのサブピクセルの中心とそれぞれの隣接する同類サブピクセルの中心との連線の中点がともにこのサブピクセルの矩形サンプリング領域の境界上に位置して、一つのサブピクセルの同類サブピクセルとは、このサブピクセルと同一のビューに属する同一の色のサブピクセルをいう。
【００１１】
さらには、前記Ｎの値が３であり、前記画素アレイがデルタ画素アレイである。さらには、それぞれのサブピクセルは、行方向における長さが列方向における長さの２倍であり、且つ、それぞれの理論的な画素ユニットが二つの列方向に隣接するサブピクセルに対応する。
【００１２】
さらには、前記輝度確定手段は、それぞれのサブピクセルについて、その矩形サンプリング領域とこのサンプリング領域に覆われる複数の理論的な画素ユニットのうちのそれぞれとの重なる面積を確定し、それぞれの理論的な画素ユニットに対応する前記重なる面積と、この理論的な画素ユニットに対応するオリジナル表示情報におけるこのサブピクセルの色に対応する階調値と、の積を確定し、それぞれの積の和及び矩形サンプリング領域の面積によりこのサブピクセルの輝度を確定する、ように配置される。
【００１３】
本発明の第４の局面によれば、また第３の局面に記載の表示駆動装置のうちそれぞれのサブピクセルの矩形サンプリング領域を生成するための装置を提供し、
前記画素アレイを複数のアレイユニットに区分して、それぞれのアレイユニットが２行２列共４つの隣接する画素群を含むように配置されるアレイユニット区分モジュールと、
いずれか一つのアレイユニットのそれぞれのサブピクセルについて、このサブピクセルの中心からそれぞれの隣接する同類サブピクセルの中心までの連線中点を確定し、
それぞれの連線中点が前記矩形サンプリング領域の境界上に位置するようにこのサブピクセルの矩形サンプリング領域を生成し、
前記いずれか一つのアレイユニットのうちそれぞれのサブピクセルの矩形サンプリング領域を生成する方式に従って、他のアレイユニットのうち対応するサブピクセルの矩形サンプリング領域を生成する、
ように配置されるサンプリング領域生成モジュールと、を有する。
【００１４】
本発明に提供される表示駆動方法では、それぞれのサブピクセルの中心とそれぞれの隣接する同類サブピクセルの中心との連線の中点がともにこのサブピクセルの矩形サンプリング領域の境界上に位置して、一つのサブピクセルの同類サブピクセルとは、このサブピクセルと同一のビューに属する同一の色のサブピクセルをいう。これにより、全表示領域を完全にサンプリングするとともに繰り返しサンプリングしなく、完全にサンプリングすることができないまたは繰り返しサンプリングすることによる画面歪みの問題を避けることができる。
【図面の簡単な説明】
【００１５】
【図１】本発明の実施例による表示駆動方法に応用される３Ｄ表示装置の一つの可能な画素アレイの模式図である。
【図２】図１の画素アレイに対応する一つの可能な光学格子アレイの分布模式図である。
【図３】左目ビューにおける青色サブピクセルの分布模式図である。
【図４】左目ビューにおける緑色サブピクセルの分布模式図である。
【図５】左目ビューにおける赤色サブピクセルの分布模式図である。
【図６】Ｒ４行Ｓ５列の青色サブピクセルのサンプリング領域を示した。
【図７】Ｒ４行Ｓ５列の青色サブピクセルのサンプリング領域に覆われるそれぞれの理論的な画素ユニットを示した。
【図８】Ｒ７行Ｓ５列の青色サブピクセルのサンプリング領域を示した。
【図９】Ｒ７行Ｓ５列の青色サブピクセルのサンプリング領域に覆われるそれぞれの理論的な画素ユニットを示した。
【図１０】Ｃ１２行Ｓ４列の青色サブピクセルのサンプリング領域を示した。
【図１１】Ｃ１２行Ｓ４列の青色サブピクセルのサンプリング領域に覆われるそれぞれの理論的な画素ユニットを示した。
【図１２】Ｃ１５行Ｓ４列の青色サブピクセルのサンプリング領域を示した。
【図１３】Ｃ１５行Ｓ４列の青色サブピクセルのサンプリング領域に覆われるそれぞれの理論的な画素ユニットを示した。
【図１４】左目ビューにおける複数の青色サブピクセルのサンプリング領域を示した。
【図１５】左目ビューにおける複数の緑色サブピクセルのサンプリング領域を示した。
【図１６】左目ビューにおける複数の赤色サブピクセルのサンプリング領域を示した。
【図１７】画素アレイのうちの一つのアレイユニットを示した。
【発明を実施するための形態】
【００１６】
本発明の実施例の目的、技術手段と利点をよりはっきりさせるために、以下に本発明の実施例における図面を結合して、本発明の実施例における技術手段をはっきり、完全に叙述する。明らかに、叙述される実施例は本発明の一部の実施例だけであり、全ての実施例ではない。本発明の実施例に基づいて、当業者が創造的な労働をしない前提で得るあらゆる他の実施例は、本発明の保護する範囲に属する。
【００１７】
本発明の実施例による表示駆動方法が、３Ｄ表示装置を駆動することに用いることができ、この３Ｄ表示装置が画素アレイと光学格子アレイとを含んでもよい。
【００１８】
図１は、本発明の実施例による表示駆動方法に応用される３Ｄ表示装置の一つの可能な画素アレイの模式図である。前記画素アレイが第１のビュー画素群と第２のビュー画素群とを含み、前記第１のビュー画素群と第２のビュー画素群とが、行方向と列方向に共に交互に配列して、それぞれの画素群がいずれもＭ×Ｎ個の１列に並ぶサブピクセルを含み、ただし、Ｎは、サブピクセルの色の種類であり、Ｍは、３及び３以上の整数である。図１に示す例には、この画素アレイは１８行（すなわちＲ１〜Ｒ１８またはＣ１〜Ｃ１８）１０列（すなわちＳ１〜Ｓ１０）のサブピクセルを有する。この画素アレイは行方向と列方向に共に交互に配列する左目ビュー画素群Ｌ１と右目ビュー画素群Ｌ２とを含む。左目ビュー画素群Ｌ１と右目ビュー画素群Ｌ２とは、いずれも９個の１列に並ぶ矩形サブピクセルを含む。上から下へ、左目ビュー画素群Ｌ１の１番目、４番目、７番目のサブピクセルが青色サブピクセルＢ１であり、２番目、５番目、８番目のサブピクセルが緑色サブピクセルＧ１であり、３番目、６番目、９番目のサブピクセルが赤色サブピクセルＲ１である。類似して、右目ビュー画素群Ｌ２の１番目、４番目、７番目のサブピクセルが緑色サブピクセルＧ２であり、２番目、５番目、８番目のサブピクセルが赤色サブピクセルＲ２であり、３番目、６番目、９番目のサブピクセルが青色サブピクセルＢ２である。この例には、左目ビュー画素群Ｌ１の１番目のサブピクセルＢ１は、右目ビュー画素群Ｌ２の１番目のサブピクセルＧ２より、サブピクセルの列方向における長さの半分低い。このように、いずれかの２つの列方向に隣接するサブピクセル（例えば、Ｌ１の１番目のサブピクセルＢ１と２番目のサブピクセルＧ１）の中心と、隣接する列においてこの２つのサブピクセルに最も近い且つ色がいずれもこの２つのサブピクセルと異なるサブピクセル（Ｌ２の２番目のサブピクセルＲ２に対応）の中心とは、二等辺三角形を構成する。このような、最も近い且つ色が異なるサブピクセルの中心からなる形状が三角形である画素配列は、デルタ（Δ）画素アレイと呼ばれる。また、この例には、それぞれのサブピクセルは、行方向における長さが列方向における長さの２倍であり、これにより、二つの列方向に隣接する画素が一つの正方形を構成して、一つの正方形がつまり、一つの理論的な画素ユニットに対応する。
【００１９】
図２は、光学格子アレイを示した分布模式図である。この光学格子アレイが、列方向に、前記第１のビュー画素群の第１の側と前記第２のビュー画素群の第２の側を遮って、前記第１の側と前記第２の側とが、対向する二つの側である。図２に示す例には、この光学格子アレイは画素群Ｌ１の右側を遮って（図面の中の黒い部分）、且つ、画素群Ｌ２の左側に遮る。図２を参考して、光学格子アレイにおける光学格子は、異なる領域における分布が異なるので、このような光学格子アレイが異形光学格子となる。画素群Ｌ１を介して出射される光線が左方向だけに伝搬して、左目に見られて、画素群Ｌ２を介して出射される光線が右方向だけに伝搬して、右目に見られる。
【００２０】
この場合に、画素群Ｌ１と画素群Ｌ２を制御することにより、左目と右目に異なる画像を見させることができ、３Ｄ表示を実現する。
【００２１】
以下に図面３〜１６を結合して、本発明の実施例におけるそれぞれのサブピクセルのサンプリング領域を説明する。
【００２２】
叙述の便宜上、左目ビューのそれぞれのサブピクセルに対応するサンプリング領域を参考して詳細に説明する。図３、図４と図５はそれぞれ単独に、左目ビューにおけるぞれぞれの色のサブピクセルの分布図を示し、そのうち、図３が、左目ビューにおける青色サブピクセルＢ１の分布図を示し、図４が、左目ビューにおける緑色サブピクセルＧ１の分布図を示し、図５が、左目ビューにおける赤色サブピクセルＲ１の分布図を示した。
【００２３】
青色サブピクセルの場合に、図６に示すように、Ｒ４行Ｓ５列の青色サブピクセルＢ１について、それに最も近い同類サブピクセルは、それぞれにＲ４行Ｓ３列、Ｒ４行Ｓ７列、Ｒ１行Ｓ５列、Ｒ７行Ｓ５列に位置する４つの青色サブピクセルＢ１であり、その矩形サンプリング領域が図６または図７における破線枠に示されるようになってもよい、即ち、矩形サンプリング領域の上側の辺がＲ２行とＲ３行との境界箇所に位置して、それにより、矩形サンプリング領域の中心と矩形サンプリング領域の上方のＲ１行Ｓ５列の青色サブピクセルＢ１の中心との連線中点がこの矩形サンプリング領域の上側の辺上に位置して、類似して、矩形サンプリング領域の下側の辺がＲ５行とＲ６行との境界箇所に位置して、矩形サンプリング領域の中心と矩形サンプリング領域の下方のＲ７行Ｓ５列の青色サブピクセルＢ１の中心との連線中点が矩形サンプリング領域の下側の辺上に位置して、矩形サンプリング領域の左側の辺がＳ４列の中線箇所に位置して、それにより、矩形サンプリング領域の中心と矩形サンプリング領域の左側のＲ４行Ｓ３列の青色サブピクセルＢ１の中心との連線中点がその矩形サンプリング領域の左側の辺上に位置して、右側の辺がＳ６列の中線箇所に位置して、それにより、矩形サンプリング領域の中心と矩形サンプリング領域の右側のＲ４行Ｓ７列の青色サブピクセルＢ１の中心との連線中点が矩形サンプリング領域の右側の辺上に位置する。
【００２４】
この時、図７に示すように、Ｒ４行Ｓ５列の青色サブピクセルＢ１の矩形サンプリング領域は、行方向における長さが、一つのサブピクセルの行方向における長さの２倍であり、列方向における長さが、一つのサブピクセルの列方向における長さの３倍であり、ともに６つの理論的な画素ユニット（Ｐ１〜Ｐ６）を覆う。特別には、この矩形サンプリング領域と理論的な画素ユニットＰ１、Ｐ３、Ｐ４、Ｐ６と重なる面積が一つの理論的な画素ユニットの３／８を占め、理論的な画素ユニットＰ２が完全に矩形サンプリング領域にあり、理論的な画素ユニットＰ５の１／２が矩形サンプリング領域にある。
【００２５】
Ｒ７行Ｓ５列の青色サブピクセルＢ１について、上、左、右の三つ方向上にそれに最も近い同類サブピクセルは、それぞれに、Ｒ４行Ｓ５列、Ｒ７行Ｓ３列、Ｒ７行Ｓ７列に位置する青色サブピクセルＢ１である。下方にそれに最も近い同類サブピクセルは、Ｃ１２行Ｓ４列、Ｃ１２行Ｓ６列の青色サブピクセルＢ１である。この時、Ｒ７行Ｓ５列のサブピクセルの矩形サンプリング領域が図８に示されるようになって、そのうち、この矩形サンプリング領域の上側の辺がＲ５行とＲ６行との境界箇所に位置して、これにより、矩形サンプリング領域の中心と矩形サンプリング領域の上方のＲ４行Ｓ５列の青色サブピクセルＢ１の中心との連線中点が矩形サンプリング領域の上側の辺上に位置して、矩形サンプリング領域の下側の辺がＣ１０行目のサブピクセルの上から下への１／４位置箇所に位置して、これにより、矩形サンプリング領域の中心とＲ１２行Ｓ４列の中心との連線中点及びＲ１２行Ｓ６列の青色サブピクセルＢ１の中心との連線中点が共に矩形サンプリング領域の下側の辺上に位置して、矩形サンプリング領域の左側の辺がＳ４列の中線箇所に位置して、矩形サンプリング領域の中心と矩形サンプリング領域の左側のＲ７行Ｓ３列の青色サブピクセルＢ１の中心との連線中点が矩形サンプリング領域の左側の辺上に位置して、矩形サンプリング領域の右側の辺がＳ６列の中線箇所に位置して、これにより、矩形サンプリング領域の中心と矩形サンプリング領域の右側のＲ７行Ｓ７列の青色サブピクセルＢ１の中心との連線中点が矩形サンプリング領域の右側の辺上に位置する。
【００２６】
図９に示すように、Ｒ７行Ｓ５列の青色サブピクセルＢ１の矩形サンプリング領域は、行方向における長さが、一つのサブピクセルの行方向における長さの２倍であり、列方向における長さが、一つのサブピクセルの列方向における長さの１５／４倍である。Ｒ７行Ｓ５列の青色サブピクセルＢ１の矩形サンプリング領域がともに９つの理論的な画素ユニットを覆う。
【００２７】
今、図１０を参考して、Ｃ１２行Ｓ４列の青色サブピクセルＢ１について、その矩形サンプリング領域の上側の辺は、Ｃ１０行目のサブピクセルの上から下への１／４位置箇所に位置して、Ｒ７行Ｓ５列の青色サブピクセルＢ１の矩形サンプリング領域の下側の辺に揃え、下側の辺がＣ１３行のサブピクセルとＣ１４行のサブピクセルとの境界箇所に位置して、左側の辺と右側の辺がそれぞれＳ３列、Ｓ５列のサブピクセルの中線箇所に位置する。
【００２８】
図１１に示すように、Ｃ１２行Ｓ４列の青色サブピクセルＢ１のサンプリング領域は、行方向における長さが、一つのサブピクセルの行方向における長さの２倍であり、列方向における長さが、一つのサブピクセルの列方向における長さの１５／４倍である。Ｃ１２行Ｓ４列の青色サブピクセルＢ１の矩形サンプリング領域がともに９つの理論的な画素ユニットを覆う。
【００２９】
図１２を参考して、Ｃ１５行Ｓ４列の青色サブピクセルＢ１について、その矩形サンプリング領域の上側の辺は、Ｃ１３行のサブピクセルとＣ１４行のサブピクセルとの境界箇所に位置して、下側の辺がＣ１６行のサブピクセルとＣ１７行のサブピクセルとの境界箇所に位置して、左側の辺と右側の辺がそれぞれＳ３列、Ｓ５のサブピクセルの中線箇所に位置する。このサブピクセルの矩形サンプリング領域の大きさ及びその矩形サンプリング領域のこのサブピクセルに対する位置が、いずれもＲ４行Ｓ５列の青色サブピクセルＢ１と一致する。類似して、図１３に示すように、Ｃ１５行Ｓ４列の青色サブピクセルＢ１の矩形サンプリング領域が６つの理論的な画素ユニットを覆う。
【００３０】
図１４には、複数の左目ビューにおける青色サブピクセルＢ１のサンプリング領域を示した。画素アレイの異なる領域には、それぞれの青色サブピクセルＢ１の矩形サンプリング領域の大きさおよび形状が全部同じではない。しかし、二つの隣接する青色サブピクセルの矩形サンプリング領域がそれらの間の領域を等分するので、全ビューのあらゆる領域がサンプリングされ且つ繰り返しサンプリングされないことを保証することができ、これにより、表示される３Ｄ表示画面がより本物そっくりである。
【００３１】
類似して、図１５には左目ビューにおける複数の緑色サブピクセルＧ１のサンプリング領域を示し、且つ、図１６には左目ビューにおける複数の赤色サブピクセルＲ１のサンプリング領域を示した。
【００３２】
本発明の第１の局面によれば、前述される画素アレイと光学格子アレイを含む３Ｄ表示装置を駆動するための表示駆動方法を提供する。前記方法が以下のステップを含んでもよい。
【００３３】
それぞれに、表示しようとする左目ビューと右目ビューを複数の理論的な画素ユニットに区分して、それぞれの理論的な画素ユニットに対応するオリジナル表示情報におけるそれぞれのサブピクセルの色（例えば、赤、緑、青）に対応する階調値を確定するステップＳ１。
【００３４】
具体的に、表示装置における一つの画素が一つの理論的な画素ユニットに対応することができる。したがって、左目ビューを３Ｄ表示装置の理論的に達する可能である画素の数により複数の理論的な画素ユニットに区分してもよい。その後、それぞれの理論的な画素ユニットに対応するオリジナル表示情報における赤、緑、青に対応する階調値を確定する。同じ方式により、右目ビューに対応する複数の理論的な画素ユニット及びそれぞれの理論的な画素ユニットに対応するオリジナル表示情報における赤、緑、青に対応する階調値を得る。
【００３５】
それぞれのビューのそれぞれのサブピクセルについて、このサブピクセルの矩形サンプリング領域に覆われる、このビューに属するそれぞれの理論的な画素ユニットに対応するオリジナル表示情報におけるこのサブピクセルの色に対応する階調値に基づいて、このサブピクセルの輝度を確定するステップＳ２。
【００３６】
前記矩形サンプリング領域は以下のように定義する。それぞれのサブピクセルの中心とそれぞれの隣接する同類サブピクセルの中心との連線の中点がともにこのサブピクセルの矩形サンプリング領域の境界上に位置して、ただし、一つのサブピクセルの同類サブピクセルとは、このサブピクセルと同一のビューに属する同一の色のサブピクセルをいう。
【００３７】
具体的に、ステップＳ２は、
それぞれのサブピクセル（例えば、図６に示すようなＲ４行目Ｓ５列目のサブピクセルＢ１、以下、サブピクセルＢ１を略称する）について、その矩形サンプリング領域とこのサンプリング領域に覆われる複数の理論的な画素ユニット（例えば、図７に示すようなＰ１，Ｐ２，…Ｐ６）のうちのそれぞれとの重なる面積を確定することと、
それぞれの理論的な画素ユニット（Ｐ１，Ｐ２，…Ｐ６）に対応する前記重なる面積と、この理論的な画素ユニットに対応するオリジナル表示情報におけるこのサブピクセルの色（すなわち、青色Ｂ）に対応する階調値と、の積（例えば、ｍ１，ｍ２，…ｍ６）を確定することと、
それぞれの積の和及び矩形サンプリング領域の面積によりこのサブピクセル（サブピクセルＢ１）の輝度を確定することと、有する。より具体的に、それぞれの積の和をこの矩形サンプリング領域の面積で割ってこのサブピクセルの輝度を得ることができる。
【００３８】
実際に、得る結果、この輝度が、矩形サンプリング領域に覆われるそれぞれの理論的な画素ユニットに対応するオリジナル表示情報におけるこのサブピクセルの色に対応する階調値の重み付き総和であり、ただし、重みは、矩形サンプリング領域とこのサンプリング領域に覆われるそれぞれの理論的な画素ユニットとの重なる領域がこの矩形サンプリング領域を占める比例である。
【００３９】
理解すべきであるのは、実際応用には、矩形サンプリング領域を使用してサンプリングをした後、他の方式によりサブピクセルの輝度を確定してもよい、本明細書にはそのについて詳述しない。
【００４０】
指摘する必要があるのは、上記の数字Ｍが２であると、それぞれのサブピクセルが、いずれも属する画素群のうち対応する色の１番目のサブピクセルまたは最後ひとつのサブピクセルであり、Ｍが１であると、それぞれのサブピクセルが、いずれも属する画素群のうち対応する色の１番目のサブピクセルであって、最後ひとつのサブピクセルである。このように、それぞれのサブピクセルに対応する同類隣接するサブピクセルの分布状況が完全に一致する。この時、通常の設計手段に従って、それぞれのサブピクセルに対応するサンプリング領域の大きさと形状を一致して、表示領域を完全に且つ繰り返さずサンプリングすることを可能となる。このような通常の設計手段は、客観的に、それぞれのサブピクセルの中心とそれぞれの隣接する同類サブピクセルの中心との連線の中点がともにこのサブピクセルに対応する矩形サンプリング領域の境界上に位置することを導くものの、理解しやすいのは、このような通常の設計手段の思想が、それぞれのサブピクセルのサンプリング領域の大きさと形状を一致することであり、本発明のようにそれぞれのサブピクセルの中心とそれぞれの隣接する同類サブピクセルの中心との連線の中点がともにこのサブピクセルに対応する矩形サンプリング領域の境界上に位置することではない。両者の処理するサブピクセルの分布状況が全く異なり、本発明が通常の設計手段の簡単な転用なものでないと考えられるべきである。
【００４１】
また指摘する必要があるのは、そのうちサブピクセルの色が３種類である実施例をすでに叙述するものの、実際応用には、本発明の実施例による表示駆動方法が他のタイプの異形光学格子を有する３Ｄ表示装置を駆動することに使用してもよく、例えば、３Ｄ表示装置の色が４つでもよい。対応する技術も本発明の保護する範囲にある。
【００４２】
他に指摘する必要があるのは、３Ｄ表示装置には、それぞれのサブピクセルの行方向における長さも列方向における長さの２倍である必要がない。例えば、サブピクセルの色が４つであると、それぞれのサブピクセルがいずれも正方形でもよい、４つのサブピクセルが一つの理論的な画素ユニットを構成する。
【００４３】
上述のように、本発明の実施例による表示駆動方法を利用することにより、全表示領域を完全にサンプリングするとともに繰り返しサンプリングしなく、完全にサンプリングすることができないまたは繰り返しサンプリングすることによる画面歪みの問題を避けることができる。
【００４４】
本発明の第２の局面によれば、またそれぞれのサブピクセルについてその矩形サンプリング領域を生成するための方法を提供する。この方法は、
前記画素アレイを複数のアレイユニットに区分して、それぞれのアレイユニットが２行２列共４つの隣接する画素群を含むことと、
いずれか一つのアレイユニットのそれぞれのサブピクセルについて、このサブピクセルの中心からそれぞれの隣接する同類サブピクセルの中心までの連線中点を確定することと、
それぞれの連線中点がこの矩形サンプリング領域の境界上に位置するようにこのサブピクセルの矩形サンプリング領域を生成することと、
前記いずれか一つのアレイユニットのうちそれぞれのサブピクセルの矩形サンプリング領域を生成する方式に従って、他のアレイユニットのうち対応するサブピクセルの矩形サンプリング領域を生成することと、を有してもよい。
【００４５】
図１に示すような画素アレイに対して、まず、一つのアレイユニットＡＵを選定してもよい、このアレイユニットが二つの左目ビュー画素群Ｌ１（即ち、Ｓ１列のＲ１−Ｒ９行のサブピクセルとＳ２列のＣ１０−Ｃ１８行のサブピクセル）と二つの右目ビュー画素群Ｌ２（即ち、Ｓ１列のＲ１０−Ｒ１８行のサブピクセルとＳ２列のＣ１−Ｃ９行のサブピクセル）共４つの隣接する画素群を含み、図１７に示されるようになる。このアレイユニットにおけるそれぞれのサブピクセルについて矩形サンプリング領域を生成した後、それぞれのサブピクセルの矩形サンプリング領域の大きさおよびこのサブピクセルに対する位置により、他のアレイユニットのうち位置がこのサブピクセルの位置に対応するサブピクセルの矩形サンプリング領域を生成してもよい。このように、サンプリング領域を生成する仕事量を大幅に低減することができ、資源の消費を低減する。
【００４６】
本発明の第３の局面によれば、また上記の表示駆動方法を実現して３Ｄ表示装置を駆動するに用いることができる表示駆動装置を提供する。前記３Ｄ表示装置が画素アレイと光学格子アレイとを含む。前記画素アレイが第１のビュー画素群と第２のビュー画素群とを含み、ただし、前記第１のビュー画素群と第２のビュー画素群とが、行方向と列方向に共に交互に配列して、それぞれの画素群がいずれもＭ×Ｎ個の１列に並ぶサブピクセルを含み、ただし、Ｎは、サブピクセルの色の種類であり、Ｍは、３及び３以上の整数である。前記光学格子アレイが、列方向に、前記第１のビュー画素群の第１の側と前記第２のビュー画素群の第２の側を遮って、前記第１の側と前記第２の側とが、対向する二つの側である。
【００４７】
前記表示駆動装置は、
それぞれに、表示しようとする第一のビューと第二のビューを複数の理論的な画素ユニットに区分して、それぞれの理論的な画素ユニットに対応するオリジナル表示情報におけるそれぞれのサブピクセルの色に対応する階調値を確定する画素区分手段と、
それぞれのビューのそれぞれのサブピクセルについて、このサブピクセルの矩形サンプリング領域に覆われる、このビューに属するそれぞれの理論的な画素ユニットに対応するオリジナル表示情報におけるこのサブピクセルの色に対応する階調値に基づいて、このサブピクセルの輝度を確定する輝度確定手段と、を含み、
そのうち、それぞれのサブピクセルの中心とそれぞれの隣接する同類サブピクセルの中心との連線の中点がともにこのサブピクセルの矩形サンプリング領域の境界上に位置して、一つのサブピクセルの同類サブピクセルとは、このサブピクセルと同一のビューに属する同一の色のサブピクセルをいう。
【００４８】
画素区分手段と輝度確定手段は、電子ハードウエアとコンピュータソフトウェアとこの両者の組み合わせとによっても実現することができる。例えば、この二つの手段が必要な制御プログラムと結合した汎用プロセッサー、ディジタルシグナルプロセッサー（ＤＳＰ）、特定用途向け集積回路（ＡＳＩＣ）、フィールドプログラマブルゲートアレイ（ＦＰＧＡ）または他のプログラマブルロジックデバイス、ディスクリートゲートやトランジスタロジック、ディスクリートハードウェアコンポーネントにより実現される。一つの例には、画素区分手段と輝度確定手段がディジタルシグナルプロセッサー（ＤＳＰ）により実現されるとともに、それぞれの理論的な画素ユニットに対応するオリジナル表示情報におけるそれぞれの色（例えば、赤、緑、青）に対応する階調値をメモリに格納してもよい。画素区分手段がメモリから階調値を取り戻して輝度確定手段に供給して、輝度確定手段が前記階調値を利用してサブピクセルの輝度の計算を完成する。
【００４９】
さらには、前記輝度確定手段が、
それぞれのサブピクセルについて、その矩形サンプリング領域とこのサンプリング領域に覆われる複数の理論的な画素ユニットのうちのそれぞれとの重なる面積を確定し、
それぞれの理論的な画素ユニットに対応する前記重なる面積と、この理論的な画素ユニットに対応するオリジナル表示情報におけるこのサブピクセルの色に対応する階調値と、の積を確定し、
それぞれの積の和及び矩形サンプリング領域の面積によりこのサブピクセルの輝度を確定するように配置される。より具体的に、それぞれの積の和をこの矩形サンプリング領域の面積で割ってこのサブピクセルの輝度を得ることができる。
【００５０】
さらには、前記Ｎの値が３であり、前記画素アレイがデルタ画素アレイである。
【００５１】
さらには、それぞれのサブピクセルは、行方向における長さが列方向における長さの２倍であり、且つ、それぞれの理論的な画素ユニットが二つの列方向に隣接するサブピクセルに対応する。
【００５２】
本発明の第４の局面によれば、またサンプリング領域を生成する装置を提供して、前記いずれか一つに記載する表示駆動装置におけるそれぞれのサブピクセルのサンプリング領域を生成するに用いる。前記装置が、
前記画素アレイを複数のアレイユニットに区分して、それぞれのアレイユニットが２行２列共４つの隣接する画素群を含むように配置されるアレイユニット区分モジュールと、
いずれか一つのアレイユニットのそれぞれのサブピクセルについて、このサブピクセルの中心からそれぞれの隣接する同類サブピクセルの中心までの連線中点を確定し；それぞれの連線中点が前記矩形サンプリング領域の境界上に位置するようにこのサブピクセルの矩形サンプリング領域を生成し；
前記いずれか一つのアレイユニットのうちそれぞれのサブピクセルの矩形サンプリング領域を生成する方式に従って、他のアレイユニットのうち対応するサブピクセルの矩形サンプリング領域を生成するように配置されるサンプリング領域生成モジュールと、を有する。
【００５３】
以上に叙述したものは本発明の具体的な実施の形態だけであり、しかし、本発明の保護する範囲は、これに限られるものではない。当業者が本発明に公開される技術的範囲において想到し得る変化するまたは置き換えるものは、いずれも本発明の保護する範囲に属する。したがって、本発明の保護する範囲が前記特許請求の範囲に準じるものである。
【図１】
0006802066.tif 000002
【図２】
0006802066.tif 000003
【図３】
0006802066.tif 000004
【図４】
0006802066.tif 000005
【図５】
0006802066.tif 000006
【図６】
0006802066.tif 000007
【図７】
0006802066.tif 000008
【図８】
0006802066.tif 000009
【図９】
0006802066.tif 000010
【図１０】
0006802066.tif 000011
【図１１】
0006802066.tif 000012
【図１２】
0006802066.tif 000013
【図１３】
0006802066.tif 000014
【図１４】
0006802066.tif 000015
【図１５】
0006802066.tif 000016
【図１６】
0006802066.tif 000017
【図１７】
0006802066.tif 000018